(57)【特許請求の範囲】
【請求項１】
片手で洗濯物を挟着することができる洗濯挟みであって、一端側に軸部が形成され、また中間部に挟着部が形成されていると共に、他端側に指掛け部が形成された第１挟着部材と、屈曲部に前記第１挟着部材の前記軸部が回動自在に嵌合する嵌合部が形成されたほぼＶ字形をなし、かつ一端側に前記第１挟着部材の挟着部との間で洗濯物を挟着する挟着部が形成されていると共に、前記第１挟着部の他端側と並行するように延設された他端側に指掛け部が形成された第２挟着部材と、前記第１挟着部材と前記第２挟着部材の前記挟着部が閉合するよう前記第１挟着部材と前記第２挟着部材を付勢するリング状ばねを具備し、
前記第１挟着部材に設けられた挟着部の近傍に、親指との間で洗濯物を摘んでいる指を前記第１挟着部材の前記指掛け部側へ滑らせる滑り面を形成してなることを特徴とする洗濯挟み。
【請求項２】
前記軸部のほぼ中心に通孔を設けると共に、前記通孔の一部を前記軸部の外周側へ拡開する切り欠きにより前記軸部の外周面に開放してなる請求項１に記載の洗濯挟み。 
【発明の詳細な説明】
【技術分野】
【０００１】
本発明は、片手で容易に洗濯物を挟着することができる洗濯挟みに関する。
【背景技術】
【０００２】
従来、物干し竿に洗濯物を干す場合、洗濯物が風で飛ばされないように洗濯挟みにより止めるようにしており、沢山の洗濯物を一度に干す場合は、ハンガ本体に複数の洗濯挟みが吊り下げられた市販の洗濯ハンガが使用されている。
物干し竿に干した洗濯物を止める洗濯挟みや、洗濯ハンガ等に使用されている洗濯挟みの多くは、一方の手で開いた洗濯挟みの挟着部に、他方の手で持った洗濯物の一部を差し込んで、挟着部に洗濯物を挟着する作業が必要なため、一方の手がふさがっていたり、片手が不自由な人の場合、洗濯物を干す作業が困難であったり、洗濯物を干すのに時間がかかる等の問題がある。
【０００３】
かかる問題を改善するため、片手で洗濯物を挟着できるようにした洗濯挟みが例えば特許文献１で提案されている。
前記特許文献１に記載の「片手脱着洗濯ピンチ」は、洗濯ピンチの一方の挟み口の面の先端部分の形状を、対向する挟み口よりも長く、かつひとまわり大きな表面の滑らかな押し当て面に形成し、その押し当て面に人差し指と拇指で保持した洗濯物を直接押し当てて、挟み口を押し開けながら挟み込むことが出来るような受け口状の形状にすると共に、その挟み口を押し開く力に対抗する反半作用力を、相対する挟み口側に同側の手の中指、薬指又は小指により加えることが出来るような指掛け構造にすることにより、挟み口を押し開けると同時に洗濯物をピンチの挟み口に片手の操作で挟み込みを可能としている。
【先行技術文献】
【特許文献】
【０００４】
【特許文献１】特開２００８−２８９６０７号公報
【発明の概要】
【発明が解決しようとする課題】
【０００５】
しかし前記特許文献１に記載の片手脱着洗濯ピンチでは、次のような問題がある。
すなわち、ピンチの挟み口に洗濯物を挟着する場合、親指と人差し指で洗濯物を持った状態で、洗濯物を親指ごと滑らかな面に押し付けて可動側の口を押し開ける必要があるため、洗濯物を挟み口に挟着する操作にコツが必要となり、慣れるまでに時間がかかる問題がある。
また洗濯物を親指ごと滑らかな面に押し付けて可動側の口を押し開けるため、特に厚物の洗濯物を挟み込む場合親指に過度の負担がかかる上、親指の力加減により挟み口の開き具合を調整する必要があるため、厚物と薄物の洗濯物を交互に干すような場合、手際よく干すのに慣れが必要である等の問題もある。
【０００６】
さらに両手が使える場合でも、片手で洗濯物を親指ごと滑らかな面に押し付けて可動側の口を押し開ける操作を必要とするため、かえって洗濯物を干すのに時間がかかる上、洗濯物を取り外す際にも親指を滑らかな面に押し付けて可動側の口を押し開ける操作が必要なため、洗濯物の取り込みにも時間がかかる問題がある。
本発明はかかる従来の問題を改善するためになされたもので、片手で容易に洗濯物を挟着することができる洗濯挟みを提供することを目的とするものである。
【課題を解決するための手段】
【０００７】
本発明の洗濯挟みは、片手で洗濯物を挟着することができる洗濯挟みであって、一端側に軸部が形成され、また中間部に挟着部が形成されていると共に、他端側に指掛け部が形成された第１挟着部材と、屈曲部に第１挟着部材の軸部が回動自在に嵌合する嵌合部が形成されたほぼＶ字形をなし、かつ一端側に第１挟着部材の挟着部との間で洗濯物を挟着する挟着部が形成されていると共に、第１挟着部の他端側と並行するように延設された他端側に指掛け部が形成された第２挟着部材と、第１挟着部材と第２挟着部材の挟着部が閉合するよう第１挟着部材と第２挟着部材を付勢するリング状ばねとから構成したものである。
【０００８】
前記構成により、洗濯物が入った洗濯籠を片手で抱えていたり、片手が不自由な人でも何等コツを必要とせずに片手で洗濯物を洗濯挟み本体の挟着部に挟み込むことができるため、慣れるまでに時間がかかる従来の洗濯挟みの問題を解消することができる。
また親指と人差し指で洗濯物を摘んだ手の中指で第２挟着部材の挟着部の開閉が自由に行えるため、特に厚物の洗濯物を挟み込む場合でも親指に負担がかかることがない上、中指の力加減により挟着部の開き具合を容易に調整することができるため、厚物と薄物の洗濯物を交互に干すような場合でも、洗濯物を短時間で手際よく干すことができるようになる。
さらに乾いた洗濯物を洗濯挟み本体から取り外す場合は、片手の親指と人差し指の間で洗濯物ごと第１挟着部材の中間部を摘み、この状態で中指により第２挟着部材の指掛け部を押圧して各挟着部を開放しながら、各挟着部より解放された洗濯物を親指と手の平もしくは残りの指で落とさないように保持すればよく、洗濯物の取り込みも片手で、しかも洗濯物を損傷することなく短時間で行えるようになる。
【０００９】
本発明の洗濯挟みは、軸部のほぼ中心に通孔を設けると共に、通孔の一部を軸部の外周側へ拡開する切り欠きにより軸部の外周面に開放したものである。
【００１０】
前記構成により、線状材よりなるハンガの横杆に洗濯挟み本体を複数取り付けることにより、線状材よりなるハンガが複数の洗濯物を同時に干せる洗濯ハンガとして利用することができるようになる。
【００１１】
本発明の洗濯挟みは、第１挟着部材に設けられた挟着部の近傍に、親指との間で洗濯物を摘んでいる指を第１挟着部材の指掛け部側へ滑らせる滑り面を形成したものである。
【００１２】
前記構成により、親指との間で洗濯物を摘んだ指をスムーズに挟着部材の指掛け部側へ移動させることができるため、洗濯挟み本体へ洗濯ものを挟着する動作が迅速に行える上、洗濯物を誤って落とすことも少ない。
【発明の効果】
【００１３】
本発明の洗濯挟みによれば、洗濯物が入った洗濯籠を片手で抱えていたり、片手が不自由な人でも何等コツを必要とせずに片手で洗濯物を洗濯挟み本体の挟着部に挟み込むことができるようになり、慣れるまでに時間がかかる従来の洗濯挟みの問題を解消することができる。
また親指と人差し指で洗濯物を摘んだ手の中指で第２挟着部材の挟着部の開閉が自由に行えるため、特に厚物の洗濯物を挟み込む場合でも親指に負担がかかることがない上、中指の力加減により挟着部の開き具合を容易に調整することができるため、厚物と薄物の洗濯物を交互に干すような場合でも、洗濯物を短時間で手際よく干すことができるようになる。
【図面の簡単な説明】
【００１４】
【図１】本発明の実施の形態になる洗濯挟みの斜視図である。
【図２】本発明の実施の形態になる洗濯挟み正面図である。
【図３】本発明の実施の形態になる洗濯挟みの断面図である。
【図４】図２のＡ方向からの矢視図である。
【図５】図２のＢ方向からの矢視図である。
【図６】本発明の実施の形態になる洗濯挟みを洗濯ハンガに取り付けた状態の正面図である。
【図７】本発明の実施の形態になる洗濯挟みに洗濯物を取り付ける状態の斜視図である。
【図８】本発明の実施の形態になる洗濯挟みに洗濯物を取り付ける際の作用説明図である。
【図９】本発明の実施の形態になる洗濯挟みに洗濯物を取り付ける際の作用説明図である。
【図１０】本発明の実施の形態になる洗濯挟みを線条よりなるハンガに取り付けた状態の参考図である。
【図１１】本発明の実施の形態になる洗濯挟みと補強部材を線条よりなるハンガに取り付けた状態の参考図である。
【図１２】本発明の実施の形態になる洗濯挟みを線条よりなるハンガに取り付けるための補強部材及び補強部材の各個所の断面を拡大した参考図である。
【図１３】本発明の実施の形態になる洗濯挟みと補強部材を取り付けた線条よりなるハンガを複数連結した状態を示す参考図である。
【発明を実施するための形態】
【００１５】
本発明の実施の形態を、図面を参照して詳述する。
本発明の実施の形態になる洗濯挟みは、図１ないし図５に示すように第１挟着部材１及び第２挟着部材２とからなる洗濯挟み本体３と、ピアノ線のような弾性を有する金属線を、一部に切り欠きを有するリング状に成形したリング状ばね４とからなり、第１挟着部材１及び第２挟着部材２は、何れも合成樹脂により一体成形されている。
第１挟着部材１は、中心部に通孔１ａが形成された筒状の軸部１ｂを一端側に有しており、通孔１ａの一部は、軸部１ｂの外周側へ拡開する切り欠き１ｃにより外周面に開放されていて、この切り欠き１ｃより後述するハンガ１０の横杆１０ａが通孔１ａへ挿通できるようになっている。
【００１６】
第１挟着部１は、ほぼ中間部がへ字形に屈曲されていて、屈曲部の山側に洗濯物を挟着する挟着部１ｄが形成され、谷側の両側面には、図４に示すように凹球面状をなし、かつ側面が図２に示すように半月状となった滑らかな滑り面１ｅが形成されている。
第１挟着部１の他端側は、軸部１ｂの中心と挟着部１ｄを結ぶ線より外側に張り出していて、先端部にはほぼＬ字形に屈曲する指掛け部１ｆが形成されている。
また第１挟着部１の軸部１ｂ外周面には、幅方向のほぼ中央に環状突条１ｇがほぼ全周に亘って突設されていて、この環状突条１ｇに第２挟着部２の嵌合部２ａ内周面に形成された環状溝２ｃが摺動自在に嵌合されている。
【００１７】
第２挟着部２は、第１挟着部１と同幅のほぼ逆Ｖ字形に形成されていて、屈曲部の山側が第１挟着部１の軸部１ｂと同心円で、かつ径が十分に大きい円弧面２ｂとなっており、屈曲部の谷側に、４分の３円形状の嵌合部２ａが形成されている。
嵌合部２ａの内径は、第１挟着部１の軸部１ｂ外周とほぼ同径になっていて、嵌合部２ａの内周面のほぼ中央に環状突条１ｇが嵌合する環状溝２ｃが形成されており、この環状溝２ｃを軸部１ｂの環状突条１ｇに嵌合することにより、第１挟着部１の軸部１ｂを中心に第２挟着部２を回動しても、第１挟着部１の軸部１ｂより第２挟着部２が抜け外れないようになっている。
【００１８】
第２挟着部材２の一端側は、第１挟着部材１の中間部と並行するようになっていて、第１挟着部材１の中間部に形成された挟着部１ｄと対向する位置に、第１挟着部１の挟着部１ｄとの間で洗濯物を挟着する挟着部２ｄが形成されており、各挟着部１ｄ，２ｄの挟着面には、鋸歯状の滑り止め１ｈ，２ｅが形成されている。
第２挟着部材２の他端側は、第１挟着部材１の他端側と並行するよう延出されており、先端側には、第１挟着部材１の指掛け部１ｆと対向する面の反対側に鋸歯状の滑り止め２ｆが設けられた指掛け部２ｇが形成されている。
【００１９】
一方第１、第２挟着部材１，２を閉合方向に付勢するリング状ばね４は、中間部が第２挟着部材２の円弧面２ｂより突設された吊り下げ部２ｈに挿通されている。
吊り下げ部２ｈは、後述する洗濯ハンガ６に洗濯挟みを吊り下げる際に使用すると同時に、リング状ばね４が横方向へ倒れるのを防止する振れ止めを兼ねており、第１挟着部材１と一体成形されていると共に、中間部が吊り下げ部２ｈに挿通されたリング状ばね４の一端は、第１挟着部材１の挟着部１ｄ背面に形成された凹部１ｊに当接され、他端側は、第２挟着部２の他端側中間部に形成された透孔２ｉに挿通された後、第２挟着部材２の挟着部２ｄ背面に形成された凹部２ｊに当接されている。
【００２０】
次に前記構成された洗濯挟みの使用方法を説明する。
本発明の洗濯挟みは、図示しない物干し竿に干した洗濯物が風で飛ばされないように止める際にも使用することができるが、図６に示すように洗濯ハンガ６に複数個吊り下げて使用することにより、本発明特有の効果を発揮することができる。
図６に示す洗濯ハンガ６は、例えば角枠状の枠体６ａと、枠体６ａを吊り下げる線条６ｂ及びフック６ｃとからなり、枠体６ａの下面には、多数の吊り紐６ｄがほぼ等間隔に垂下されており、各吊り紐６ｃの先端に形成されたフック状の係合部６ｅに第２挟着部材２の円弧面２ｂより突設された吊り下げ部２ｈを引っ掛けることにより、複数の洗濯挟みを吊り下げる。
【００２１】
次に各洗濯挟み本体３に洗濯物７を吊り下げる際の作用を、図８及び図９を参照して説明すると、洗濯ハンガ６に干すべき洗濯物７の一部を片手の親指と人差し指で摘んだら、図８に示すように親指の腹で洗濯物７を第１挟着部材１の中間部に、挟着部１ｄ側から押し当てる。
次にこの状態で片手の中指を第２挟着部材２の指掛け部２ｇに掛けたら、中指に力を入れて図９に示すように第１挟着部材１の軸部１ｂを中心に第２挟着部材２を、リング状ばね４の付勢力に抗して右方向へ回動させて、第２挟着部材２の挟着部２ｄを第１挟着部材１の挟着部１ｄより離間させ、両挟着部１ｄ，２ｄを開放する。
そしてこの状態で、親指との間で洗濯物７を摘んでいる人差し指を滑り面１ｅに沿って滑らせながら、その反力を利用して洗濯物７を開いた挟着部１ｄ，２ｄ間へと押し込む。
洗濯物７の押し込みが完了したら、中指の力を抜いてリング状ばね４の付勢力により挟着部１ｄ，２ｄの間を閉じ、挟着部１ｄ，２ｄ間で洗濯物７を挟着する。
【００２２】
以下前記操作を繰り返して各洗濯挟み本体３に洗濯物７を吊り下げたら、洗濯ハンガ６のフック６ｃを物干し竿等に引っ掛けることにより、一度に多くの洗濯物７を干すことが出来るようになるため、洗濯物７が入った洗濯籠を片手で抱えていたり、片手が不自由な人でも、何等コツを必要とせずに片手で洗濯物７を洗濯挟み本体３の挟着部１ｄ，２ｄに挟み込むことができるようになり、慣れるまでに時間がかかる従来の洗濯挟みの問題を解消することができる。
また親指と人差し指で洗濯物７を摘んだ手の中指で第２挟着部材２の挟着部２ｄの開閉が自由に行えるため、特に厚物の洗濯物７を挟み込む場合でも親指に負担がかかることがない上、中指の力加減により挟着部１ｄ，２ｄの開き具合を容易に調整することができるため、厚物と薄物の洗濯物７を交互に干すような場合でも、洗濯物を損傷することなく短時間で手際よく干すことができるようになる。
【００２３】
一方、乾いた洗濯物７を洗濯挟み本体３から取り外す場合は干すときと逆の操作、すなわち片手の親指と人差し指の間で洗濯物７ごと第１挟着部材１の中間部を摘み、この状態で中指により第２挟着部材２の指掛け部２ｇを押圧して各挟着部１ｄ，２ｄを開放しながら、各挟着部１ｄ，２より解放された洗濯物７を親指と手の平もしくは残りの指で落とさないように保持すればよく、洗濯物７の取り込みも片手で、しかも短時間で行えるようになる。
【００２４】
図１０ないし図１３は、本発明の洗濯挟みの使用例を示す参考図で、次にこれら使用例を簡単に説明する。
図１０は針金のような線条を曲げることにより製作された市販のハンガ１０の水平部分を形成する横杆１０ａに、本発明の洗濯挟みを取り付けた例を示しており、第１挟着部材１の挟着部１ｄと第２挟着部２の挟着部２ｄの間を開いた状態でハンガ１０の横杆１０ａを、軸部１ｂの切り欠き１ｃから通孔１ａに挿入することにより、洗濯挟み本体３を横杆１０ａに１個ないし複数個を予め取り付けておき、ハンガ１０に洗濯物７を干す場合は、前記洗濯ハンガ６に洗濯物７を干す場合と同様な操作で各洗濯挟み本体３に洗濯物７を挟着すればよい。
【００２５】
一方、図１０に示す針金のような線条よりなるハンガ１０は強度が低いので、洗濯物７の重みで横杆１０ａが撓んでしまうことがある。
これを防止するため図１１に示すように、ハンガ１０の横杆１０ａに板状の補強部材１１を取り付けるようにしてもよい。
補強部材１１は合成樹脂により一体成形されたもので、横杆１０ａの長さとほぼ同じ長さの長尺な長方形状に形成されており、長手方向に等間隔に複数の円孔１１ａが開口されている。
補強部材１１の下辺は角柱状となっていて、この角柱状部１１ｂは円孔１１ａに連続する切り欠き１１ｃにより分断されており、角柱状部１１ｂの側面には図１２に示すように横杆１０ａに嵌合する凹溝１１ｄが形成されている。
【００２６】
また補強部材１１の両端部には縦方向にスリット１１ｅが形成されていて、これらスリット１１ｅに、ハンガ１０の両端側を挿入することにより、補強部材１１の角柱状部１１ｂに形成した凹溝１１ｄをハンガ１０の横杆１０ａに嵌合した状態した際、図１１に示すように補強部材１１が直立状態に保持できるようになっている。
さらに補強部材１１の両端側上部には、連結溝１１ｆが形成されていて、これら連結溝１１ｆに予め用意した連結杆１２の両端部を図１３に示すように嵌合することにより、複数のハンガ１０が互いに連結できるようになっている。
すなわち複数のハンガ１０を連結杆１２で連結することにより、多数の洗濯挟みが設けられた洗濯ハンガ１２を構成することができるようになる。
【００２７】
なお洗濯ハンガ１２に洗濯物７を干す操作は、前記洗濯ハンガ６に洗濯物７を干す場合と同様なのでその説明は省略する。
また前記実施の形態では、洗濯物７を干したり、取り込んだりする際、片手の親指と人差し指及び中指を使用して洗濯挟み本体３を操作するように説明したが、これら指に限られることはなく、作業者が作業しやすい他の指を使用しても勿論よい。
【符号の説明】
【００２８】
１    第１挟着部
１ａ    通孔
１ｃ    切り欠き
１ｄ    挟着部
１ｅ    滑り面
１ｆ    指掛け部
２    第２挟着部材
２ａ    嵌合部
２ｄ    挟着部
２ｇ    指掛け部
３    洗濯挟み本体
４    リング状ばね
７    洗濯物
【図１】
0005534970.tif 000002
【図２】
0005534970.tif 000003
【図３】
0005534970.tif 000004
【図４】
0005534970.tif 000005
【図５】
0005534970.tif 000006
【図６】
0005534970.tif 000007
【図７】
0005534970.tif 000008
【図８】
0005534970.tif 000009
【図９】
0005534970.tif 000010
【図１０】
0005534970.tif 000011
【図１１】
0005534970.tif 000012
【図１２】
0005534970.tif 000013
【図１３】
0005534970.tif 000014